(57)【特許請求の範囲】
【請求項１】
通信機器から狭域通信網を介して電力指令メッセージを受信する通信部と、
前記狭域通信網の回線状態を監視するとともに、前記狭域通信網の不具合を検出する制御部とを備え、
前記制御部は、前記狭域通信網の不具合のうち、規則性を有する不具合を不具合ログとして記録するとともに、記録された不具合ログを出力することを特徴とする管理装置。
【請求項２】
前記電力指令メッセージは、電力系統から需要家施設に供給される電力の量である潮流量又は前記需要家施設から前記電力系統に供給される電力の量である逆潮流量の抑制を要求するメッセージであり、
前記通信機器は、前記需要家施設に設けられており、管理サーバから広域通信網を介して電力指令メッセージを受信することを特徴とする請求項１に記載の管理装置。
【請求項３】
前記制御部は、互いに重複する時間帯に発生する前記狭域通信網の不具合を、前記規則性を有する不具合として特定することを特徴とする請求項２に記載の管理装置。
【請求項４】
前記制御部は、前記需要家施設に設けられる所定機器の動作によって発生する前記狭域通信網の不具合を、前記規則性を有する不具合として特定することを特徴とする請求項２又は請求項３に記載の管理装置。
【請求項５】
前記制御部は、前記不具合ログとして前記狭域通信網の通信品質を記録することを特徴とする請求項２乃至請求項４のいずれかに記載の管理装置。
【請求項６】
前記制御部は、前記不具合ログとして前記規則性を有する不具合が発生した時刻を示す情報を記録することを特徴とする請求項２乃至請求項５のいずれかに記載の管理装置。
【請求項７】
前記需要家施設に設けられる機器に関する電力情報を管理する管理部を備え、
前記制御部は、前記不具合ログとして前記電力情報を記録することを特徴とする請求項２乃至請求項６のいずれかに記載の管理装置。
【請求項８】
通信機器から狭域通信網を介して電力指令メッセージを受信するステップＡと、
前記狭域通信網の回線状態を監視するとともに、前記狭域通信網の不具合を検出するステップＢと、
前記狭域通信網の不具合のうち、規則性を有する不具合を不具合ログとして記録するとともに、記録された不具合ログを出力するステップＣとを備えることを特徴とする管理方法。
【発明の詳細な説明】
【技術分野】
【０００１】
本発明は、通信機器から狭域通信網を介して電力指令メッセージを受信する管理装置及び管理方法に関する。
【背景技術】
【０００２】
電力系統から需要家施設に対する潮流量の抑制を要求する潮流抑制メッセージ（例えば、ＤＲ；Ｄｅｍａｎｄ  Ｒｅｓｐｏｎｓｅ）又は需要家施設から電力系統に対する逆潮流量の抑制を要求する逆潮流抑制メッセージを含む電力指令メッセージが知られている。電力指令メッセージは、電力事業者又は配電事業者などに属する管理サーバから需要家施設に対して、通信回線を介して送信される（例えば、特許文献１，２）。
【先行技術文献】
【特許文献】
【０００３】
【特許文献１】特開２０１４−６０８７９号公報
【特許文献２】特開２０１４−１５０６２７号公報
【発明の概要】
【発明が解決しようとする課題】
【０００４】
ところで、需要家施設は、管理サーバから広域通信網を介して電力指令メッセージを受信する通信機器と、通信機器から狭域通信網を介して電力指令メッセージを受信する管理装置とを有することがある。狭域通信網としては、無線ＬＡＮなどの無線通信網が用いられることも想定される。このようなケースにおいては、様々な要因によって無線通信網の不具合が発生することがあり、通信機器と管理装置との間の通信が行えない事態が発生する可能性がある。通信機器と管理装置との間の通信が行えないと、電力指令メッセージが管理装置に到達せず、電力系統の安定化を適切に図ることができない事態が想定される。
【０００５】
そこで、本発明は、上述した課題を解決するためになされたものであり、電力指令メッセージの送信によって電力系統の安定化を適切に図ることできない事態を抑制することを可能とする管理装置及び管理方法を提供することを目的とする。
【課題を解決するための手段】
【０００６】
１つの特徴は、管理装置であって、通信機器から狭域通信網を介して電力指令メッセージを受信する通信部と、前記狭域通信網の回線状態を監視するとともに、前記狭域通信網の不具合を検出する制御部とを備え、前記制御部は、前記狭域通信網の不具合のうち、規則性を有する不具合を不具合ログとして記録するとともに、記録された不具合ログを出力することを要旨とする。
【０００７】
第７の特徴は、管理方法であって、通信機器から狭域通信網を介して電力指令メッセージを受信するステップＡと、前記狭域通信網の回線状態を監視するとともに、前記狭域通信網の不具合を検出するステップＢと、前記狭域通信網の不具合のうち、規則性を有する不具合を不具合ログとして記録するとともに、記録された不具合ログを出力するステップＣとを備えることを要旨とする。
【図面の簡単な説明】
【０００８】
【図１】図１は、実施形態に係る管理システム１を示す図である。
【図２】図２は、実施形態に係るスマートメータ１１０を示す図である。
【図３】図３は、実施形態に係るＥＭＳコントローラ１２０を示す図である。
【図４】図４は、実施形態に係る管理サーバ２００を示す図である。
【図５】図５は、実施形態に係る管理方法を示すフロー図である。
【発明を実施するための形態】
【０００９】
以下において、実施形態について図面を参照しながら説明する。なお、以下の図面の記載において、同一又は類似の部分には、同一又は類似の符号を付している。
【００１０】
ただし、図面は模式的なものであり、各寸法の比率などは現実のものとは異なる場合があることに留意する。従って、具体的な寸法などは以下の説明を参酌して判断すればよい。また、図面相互間においても互いの寸法の関係や比率が異なる部分が含まれる場合がある。
【００１１】
［開示の概要］
実施形態に係る管理装置は、通信機器から狭域通信網を介して電力指令メッセージを受信する通信部と、前記狭域通信網の回線状態を監視するとともに、前記狭域通信網の不具合を検出する制御部とを備え、前記制御部は、前記狭域通信網の不具合のうち、規則性を有する不具合を不具合ログとして記録するとともに、記録された不具合ログを出力する。
【００１２】
［実施形態］
（管理システム）
以下において、実施形態に係る管理システムについて説明する。
【００１３】
図１に示すように、管理システム１は、複数の需要家施設１００と、管理サーバ２００とを有する。実施形態では、需要家施設１００として、需要家施設１００Ａ及び需要家施設１００Ｂが設けられる。
【００１４】
各需要家施設１００は、スマートメータ１１０と、ＥＭＳコントローラ１２０とを有する。スマートメータ１１０は、電力系統からの潮流の量（買電電力量）を測定する。スマートメータ１１０は、電力系統への逆潮流の量（売電電力量）を測定してもよい。ＥＭＳコントローラ１２０は、需要家施設１００の電力情報を管理する。
【００１５】
実施形態では、スマートメータ１１０は、管理サーバ２００から広域通信網を介して電力指令メッセージを受信する通信機器の一例である。電力指令メッセージは、電力系統から需要家施設に供給される電力の量である潮流量又は需要家施設から電力系統に供給される電力の量である逆潮流量の抑制を要求するメッセージである。潮流量の抑制に関する電力指令メッセージは、例えば電力使用量の削減希望量が○％削減である旨のメッセージであったり、電力使用量の削減希望量が○ｋｗｈ削減である旨のメッセージであったり、削減量に応じてインセンティブを提示する旨のメッセージであってもよい。逆潮流の抑制に関するメッセージは、例えば、逆潮流を○％削減する旨のメッセージ等が想定される。
【００１６】
ＥＭＳコントローラ１２０は、例えば、需要家施設１００に設けられる機器を制御する。具体的には、ＥＭＳコントローラ１２０が制御する機器としては、電力を消費する負荷機器又は分散電源等が挙げられる。負荷機器としては、例えば、空調機器、表示機器、調理機器等が挙げられる。分散電源としては、太陽電池、燃料電池などの発電装置又は蓄電池等が挙げられる。実施形態では、需要家施設１００Ａは、スマートメータ１１０Ａ及びＥＭＳコントローラ１２０Ａを有しており、需要家施設１００Ｂは、スマートメータ１１０Ｂ及びＥＭＳコントローラ１２０Ｂを有する。
【００１７】
ＥＭＳコントローラ１２０に接続される機器は、ＥＭＳコントローラ１２０と有線通信又は無線通信で接続される。有線通信としては、例えば、電力線搬送（Ｐｏｗｅｒ  Ｌｉｎｅ  Ｃｏｍｍｕｎｉｃａｔｉｏｎ）通信が用いられる。無線通信としては、例えば、Ｗｉ−ＳＵＮ（登録商標）、Ｗｉ−Ｆｉ（登録商標）又は９２０ＭＨｚ無線等が用いられる。無線通信には、スマートメータ１１０とＥＭＳコントローラ１２０との間で使用される通信方式と同じものを使用することができ、例えばＥＣＨＯＮＥＴ  Ｌｉｔｅ（登録商標）方式に準拠した方法が用いられる。なお、無線通信には、スマートメータ１１０とＥＭＳコントローラ１２０との間で使用される通信方式と異なる通信方式でもよい。
【００１８】
実施形態では、ＥＭＳコントローラ１２０は、スマートメータ１１０（通信機器）から狭域通信網を介して電力指令メッセージを受信する管理装置の一例である。ここで、狭域通信網は、需要家施設１００内において通信されるネットワークである。狭域通信網は、上述したように、有線通信網であってもよく、無線通信網であってもよい。有線通信としては、例えば、電力線搬送（Ｐｏｗｅｒ  Ｌｉｎｅ  Ｃｏｍｍｕｎｉｃａｔｉｏｎ）通信が用いられる。無線通信としては、例えば、Ｗｉ−ＳＵＮ（登録商標）、Ｗｉ−Ｆｉ（登録商標）又は９２０ＭＨｚ無線等が用いられる。
【００１９】
管理サーバ２００は、各需要家施設１００に設けられるスマートメータ１１０（スマートメータ１１０Ａ及びスマートメータ１１０Ｂ）を管理する。
【００２０】
例えば、管理サーバ２００は、電力系統からの潮流の量を示すメッセージをスマートメータ１１０から受信する。管理サーバ２００は、電力系統への逆潮流の量を示すメッセージをスマートメータ１１０から受信してもよい。すなわち、管理サーバ２００は、ＭＤＭＳ（Ｍｅｔｅｒ  Ｄａｔａ  Ｍａｎａｇｅｍｅｎｔ  Ｓｙｓｔｅｍ）サーバであってもよい。
【００２１】
実施形態では、管理サーバ２００は、広域通信網を介して電力指令メッセージを送信する。すなわち、管理サーバ２００は、ＤＲ（Ｄｅｍａｎｄ  Ｒｅｓｐｏｎｓｅ）サーバであってもよい。管理サーバ２００は、広域通信網を介して電力指令メッセージをスマートメータ１１０に送信する。なお、スマートメータ１１０は、狭域通信網を介して電力指令メッセージをＥＭＳコントローラ１２０に送信する。
【００２２】
実施形態では、管理サーバ２００とスマートメータ１１０との間の通信は、管理サーバ２００及びスマートメータ１１０を接続する特定回線網（広域通信網の一例）を介して行われる（Ａルート）。スマートメータ１１０とＥＭＳコントローラ１２０との間の通信は、スマートメータ１１０及びＥＭＳコントローラ１２０を接続する無線回線網（狭域通信網の一例）を介して行われる（Ｂルート）。
【００２３】
（スマートメータ）
以下において、実施形態に係るスマートメータについて説明する。ここで、スマートメータ１１０Ａ及びスマートメータ１１０Ｂは同様の機能を有する。図２に示すように、スマートメータ１１０は、第１通信部１１１と、第２通信部１１２と、電力測定部１１３と、蓄積部１１４と、制御部１１５とを有する。
【００２４】
第１通信部１１１は、通信モジュールによって構成されており、管理サーバ２００及びスマートメータ１１０を接続する特定回線網（広域通信網の一例）を介して管理サーバ２００と通信を行う。例えば、第１通信部１１１は、潮流量又は逆潮流量の抑制を要求する電力指令メッセージを管理サーバ２００から受信する。第１通信部１１１は、電力系統からの潮流の量（買電電力量）を示すメッセージを管理サーバ２００に送信してもよい。第１通信部１１１は、電力系統への逆潮流の量（売電電力量）を示すメッセージを管理サーバ２００に送信してもよい。
【００２５】
第２通信部１１２は、通信モジュールによって構成されており、スマートメータ１１０及びＥＭＳコントローラ１２０を接続する無線回線を介してＥＭＳコントローラ１２０と通信を行う。第２通信部１１２は、潮流量又は逆潮流量の抑制を要求する電力指令メッセージをＥＭＳコントローラ１２０に送信する。第２通信部１１２は、電力測定部１１３によって測定される電力量を示すメッセージをＥＭＳコントローラ１２０に送信してもよい。
【００２６】
電力測定部１１３は、センサを有するか又はセンサに接続されており、電力系統からの潮流の量（買電電力量）を測定する。電力測定部１１３は、電力系統への逆潮流の量（売電電力量）を測定してもよい。
【００２７】
蓄積部１１４は、揮発性、不揮発性のメモリ、又はＨＤＤ若しくはＳＳＤなどのディスクドライブによって構成されており、一定期間（例えば、３０分）において電力系統から供給される電力量の積算値を蓄積する。蓄積部１１４は、電力の測定が行われた時間を示す時間データと対応付けて電力量の積算値を蓄積することが好ましい。
【００２８】
制御部１１５は、ＣＰＵ及びメモリによって構成されており、スマートメータ１１０を制御する。
【００２９】
（管理装置）
以下において、実施形態に係る管理装置について説明する。ここで、ＥＭＳコントローラ１２０Ａ及びＥＭＳコントローラ１２０Ｂは同様の機能を有する。図３に示すように、ＥＭＳコントローラ１２０は、通信部１２１と、管理部１２２と、制御部１２３とを有する。
【００３０】
通信部１２１は、通信モジュールによって構成されており、スマートメータ１１０及びＥＭＳコントローラ１２０を接続する無線回線網（狭域通信網の一例）を介してスマートメータ１１０と通信を行う。通信部１２１は、潮流量又は逆潮流量の抑制を要求する電力指令メッセージをスマートメータ１１０から受信する。通信部１２１は、スマートメータ１１０によって測定される電力量を示すメッセージをスマートメータ１１０から受信してもよい。
【００３１】
実施形態では、通信部１２１は、インターネットなどの一般回線網（広域通信網の一例）を介して管理サーバ２００と通信を行う。通信部１２１は、後述するように、規則性を有する不具合として記録された不具合ログを管理サーバ２００に送信する。
【００３２】
管理部１２２は、揮発性、不揮発性のメモリ、又はＨＤＤ若しくはＳＳＤなどのディスクドライブによって構成されており、需要家施設１００に設けられる機器に関する電力情報を管理する。需要家施設１００に設けられる機器は、ＥＭＳコントローラ１２０が制御する機器であってもよい。需要家施設１００に設けられる機器は、例えば、電力を消費する負荷機器又は分散電源等である。負荷機器としては、例えば、空調機器、表示機器、調理機器等が挙げられる。分散電源としては、太陽電池、燃料電池などの発電装置又は蓄電池等が挙げられる。電力情報は、負荷機器の消費電力であってもよく、発電装置の発電電力であってもよく、蓄電池の蓄電電力又は放電電力であってもよい。
【００３３】
制御部１２３は、ＣＰＵ及びメモリによって構成されており、ＥＭＳコントローラ１２０を制御する。具体的には、制御部１２３は、狭域通信網の回線状態を監視するとともに、狭域通信網の不具合を検出する。制御部１２３は、狭域通信網の不具合のうち、規則性を有する不具合を不具合ログとして記録する。
【００３４】
ここで、不具合とは、スマートメータ１１０とＥＭＳコントローラ１２０との間の通信を行いにくい事象を意味する。不具合は、遮蔽物の存在に起因する狭域通信網の通信品質（ＲＳＳＩやＳＩＲ）が閾値よりも低下することなどが挙げられる。また、不具合は、負荷機器の消費電力の増大に起因する狭域通信網の通信品質（ＲＳＳＩやＳＩＲ）が閾値よりも低下することであってもよい。
【００３５】
遮蔽物の存在に起因する狭域通信網の通信品質の低下は、例えば、狭域通信網が無線通信網であるケースで想定される不具合である。負荷機器の消費電力の増大に起因する狭域通信網の通信品質の低下は、例えば、狭域通信網がＰＬＣ網であるケースで想定される不具合である。規則性を有する不具合とは、例えば、以下に示す１以上の条件を満たす不具合に該当する場合が挙げられる。
【００３６】
（Ａ）規則性を有する不具合は、互いに重複する時間帯に発生する狭域通信網の不具合であってもよい。このような不具合は、例えば、スマートメータ１１０とＥＭＳコントローラ１２０との間の通信を阻害する遮蔽物（例えば、自家用車など）が互いに重複する時間帯に同じ位置に配置されるケースで生じる。或いは、このような不具合は、例えば、スマートメータ１１０とＥＭＳコントローラ１２０との間の通信を阻害する所定機器の動作（例えば、ドライヤーの使用）が互いに重複する時間帯に行われるケースで生じる。
【００３７】
時間帯は所定時間に設定される。所定時間は、例えば５分、１５分又は３０分などに設定される。所定時間は電力使用変動の大きさによって適宜変更されてもよい。具体的に、電力使用変動が大きい昼間の所定時間を、電力使用変動が小さい夜間の所定時間よりも短くしてもよい。また記録された不具合ログの頻度に基づいて所定時間を変更してもよい。
【００３８】
（Ｂ）規則性を有する不具合は、需要家施設１００に設けられる所定機器の動作によって発生する狭域通信網の不具合であってもよい。所定機器の動作は、例えば、消費電力の急増を伴う機器の動作（電子レンジやドライヤーの使用）である。
【００３９】
制御部１２３は、不具合ログとして狭域通信網の通信品質を記録してもよい。通信品質は、例えば、ＲＳＳＩ（Ｒｅｃｅｉｖｅｄ  Ｓｉｇｎａｌ  Ｓｔｒｅｎｇｔｈ  Ｉｎｄｉｃａｔｏｒ）であってもよく、ＳＩＲ（Ｓｉｇｎａｌ  ｔｏ  Ｉｎｔｅｒｆｅｒｅｎｃｅ  Ｒａｔｉｏ）であってもよい。
【００４０】
制御部１２３は、不具合ログとして規則性を有する不具合が発生した時刻を示す情報を記録してもよい。不具合がある時間に亘って発生した場合は、不具合のあった時間（期間）を示す情報を記録してもよい。
【００４１】
制御部１２３は、不具合ログとして管理部１２２によって管理される電力情報を記録してもよい。このようなケースにおいて、不具合ログは、電力情報に加えて、機器を特定するための機器特定情報を含んでもよい。機器特定情報は、機器の種類（電子レンジやドライヤー）であってもよく、機器の名称であってもよい。また、電力情報は、機器の名称だけでなく、電力消費のあった分岐又はコンセントに関する情報を含んでもよい。
【００４２】
制御部１２３は、不具合ログを記録した場合に、不具合ログを通信部１２１に出力するとともに、管理サーバ２００に対する不具合ログの送信を通信部１２１に指示する。通信部１２１は、制御部１２３の指示に応じて、不具合ログを管理サーバ２００に送信する。通信部１２１は、不具合ログが記録されているか否かに関わらず、不具合報告を定期的に管理サーバ２００に送信してもよい。このようなケースにおいて、不具合ログが記録されている場合には不具合報告は不具合ログを含む。また、不具合ログが記録されていない場合には不具合報告は不具合ログが記録されていない旨を示す情報を含む。なお、ある一部の時間に不具合ログを含む場合に、不具合報告は不具合ログとともにそれ以外の時間には不具合ログが記録されていない旨を示す情報を含んでもよい。
【００４３】
（管理サーバ）
以下において、実施形態に係る管理サーバについて説明する。図４は、実施形態に係る管理サーバ２００を示す図である。図４に示すように、管理サーバ２００は、通信部２１０と、制御部２２０とを有する。
【００４４】
通信部２１０は、通信モジュールによって構成されており、管理サーバ２００及びスマートメータ１１０を接続する特定回線網（広域通信網の一例）を介してスマートメータ１１０と通信を行う（Ａルート）。例えば、通信部２１０は、潮流量又は逆潮流量の抑制を要求する電力指令メッセージをスマートメータ１１０に送信する。通信部２１０は、電力系統からの潮流の量（買電電力量）を示すメッセージをスマートメータ１１０から受信してもよい。第１通信部１１１は、電力系統への逆潮流の量（売電電力量）を示すメッセージをスマートメータ１１０から受信してもよい。通信部２１０は、インターネットなどの一般回線網を介して不具合ログをＥＭＳコントローラ１２０から受信する。
【００４５】
制御部２２０は、ＣＰＵ及びメモリによって構成されており、管理サーバ２００を制御する。制御部２２０は、ＥＭＳコントローラ１２０から受信する不具合ログに基づいて、電力指令メッセージの送信のスケジューリングを行ってもよい。例えば、制御部２２０は、不具合ログを報告したＥＭＳコントローラ１２０（需要家施設１００）に対して電力指令メッセージを送信しないようにスケジューリングを行う。制御部２２０は、規則性を有する不具合が発生した時刻を示す情報（不具合時刻）を不具合ログが含む場合には、不具合ログを報告したＥＭＳコントローラ１２０（需要家施設１００）に対して、不具合時刻における潮流量又は逆潮流量の抑制を要求する電力指令メッセージを送信しないようにスケジューリングを行う。
【００４６】
制御部２２０は、不具合ログを報告したＥＭＳコントローラ１２０（需要家施設１００）に対して、ＥＭＳコントローラ１２０の配置位置を変更するように要求するメッセージを送信してもよい。制御部２２０は、不具合ログを報告したＥＭＳコントローラ１２０（需要家施設１００）に対して、規則性を有する不具合を引き起こす所定機器の動作を行わないように要求するメッセージを送信してもよい。
【００４７】
（管理方法）
以下において、実施形態に係る管理方法について説明する。図５は、実施形態に係る管理方法を示すシーケンス図である。
【００４８】
図５に示すように、ステップＳ１０において、需要家施設１００（ＥＭＳコントローラ１２０）は、スマートメータ１１０及びＥＭＳコントローラ１２０を接続する無線回線網（狭域通信網の一例）の不具合を検出する。
【００４９】
ステップＳ１１において、需要家施設１００（ＥＭＳコントローラ１２０）は、検出された不具合が規則性を有する場合に、検出された不具合を不具合ログとして記録する。規則性を有する不具合は、上述したように、互いに重複する時間帯に発生する狭域通信網の不具合であってもよく、需要家施設１００に設けられる所定機器の動作によって発生する狭域通信網の不具合であってもよい。
【００５０】
ステップＳ１２において、需要家施設１００（ＥＭＳコントローラ１２０）は、不具合ログを管理サーバ２００に送信する。
【００５１】
ステップＳ１３において、管理サーバ２００は、潮流量又は逆潮流量の抑制要求を受け付ける。抑制要求は、電力事業者から受信するメッセージの受信によって受け付けられてもよく、オペレータの入力によって受け付けられてもよい。
【００５２】
ステップＳ１４において、管理サーバ２００は、電力指令メッセージの送信のスケジューリングを行う。管理サーバ２００は、不具合ログに基づいて電力指令メッセージの送信のスケジューリングを行うことが好ましい。
【００５３】
ステップＳ１５において、管理サーバ２００は、ステップＳ１４のスケジューリング結果に基づいて、電力指令メッセージを需要家施設１００（スマートメータ１１０）に送信する。図５では、電力指令メッセージが送信されるケースが例示されているが、不具合ログを報告した需要家施設１００に対して電力指令メッセージが送信されなくてもよい。
【００５４】
（作用及び効果）
実施形態では、ＥＭＳコントローラ１２０は、規則性を有する不具合を不具合ログとして記録するとともに、記録された不具合ログを出力する。すなわち、狭域通信網の偶発的な不具合を不具合ログとして記録せずに、規則性を有する不具合のみを不具合ログとして記録する。これによって、偶発的な不具合に左右されることなく、電力指令メッセージがＥＭＳコントローラ１２０に到達する可能性を高めながら、電力指令メッセージの送信のスケジューリングを行うことができる。或いは、偶発的な不具合に左右されることなく、ＥＭＳコントローラ１２０の配置位置を調整することができる。
【００５５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００５６】
実施形態では、不具合ログの出力態様は、管理サーバ２００に対する不具合ログの送信である。しかしながら、実施形態はこれに限定されるものではない。不具合ログの出力態様は、ユーザが所持するユーザ端末（スマートフォンやタブレット端末）に対する不具合ログの送信であってもよい。或いは、ＥＭＳコントローラ１２０がディスプレイを有する場合には、不具合ログの出力態様は、ディスプレイ上における不具合ログの表示であってもよい。
【００５７】
実施形態では、広域通信網として、管理サーバ２００及びスマートメータ１１０を接続する特定回線網を例示した。しかしながら、実施形態はこれに限定されるものではない。広域通信網は、インターネットなどの一般回線網であってもよい。
【００５８】
実施形態では、通信機器として、スマートメータ１１０を例示した。しかしながら、実施形態はこれに限定されるものではない。通信機器は、広域通信網と狭域通信網との境界に設けられるゲートウェイであってもよい。このようなゲートウェイの一例としては、需要家施設１００に設けられるルータが挙げられる。
【符号の説明】
【００５９】
１００…需要家施設、１１０…スマートメータ、１１１…第１通信部、１１２…第２通信部、１１３…電力測定部、１１４…蓄積部、１１５…制御部、１２０…ＥＭＳコントローラ、１２１…通信部、１２２…管理部、１２３…制御部、２００…管理サーバ、２１０…通信部、２２０…制御部
【図１】
0006572138.tif 000002
【図２】
0006572138.tif 000003
【図３】
0006572138.tif 000004
【図４】
0006572138.tif 000005
【図５】
0006572138.tif 000006